(57)【特許請求の範囲】
【請求項１】
ＨＤＭＩ送信装置とＨＤＭＩ受信装置とがＨＤＭＩケーブルによって接続されるＨＤＭＩ送受信システムであって、
前記ＨＤＭＩ送信装置は、
番組の重要度を示す重要度レベルメタデータ情報を検出する重要度レベル検出部と、
前記重要度レベル検出部にて検出された前記重要度レベルメタデータ情報を前記番組に付加する情報付加部と、
前記情報付加部にて前記重要度レベルメタデータ情報が付加された番組を記録する記録ドライブと、
前記記録ドライブより再生された前記重要度レベルメタデータ情報が付加された番組から前記重要度レベルメタデータ情報を抽出する付加情報抽出部と、
前記重要度レベルメタデータ情報をＨＤＭＩによって送信可能なデータ形式に変換する第１の制御回路と、
を備え、
前記ＨＤＭＩ受信装置は、
前記第１の制御回路によって変換され、前記ＨＤＭＩケーブルによって送信された重要度レベルメタデータ情報を元の前記重要度レベルメタデータ情報に変換する第２の制御回路と、
前記重要度レベルメタデータ情報に基づいて前記ＨＤＭＩ送信装置から送信された映像信号を補正する映像補正回路と、
前記重要度レベルメタデータ情報に基づいて前記ＨＤＭＩ送信装置から送信された音声信号を補正する音声補正回路と、
を備え、
前記映像補正回路の前記補正は、前記重要度レベルメタデータ情報の重要度レベルが高い場合において、映像のズーム、前記映像のブライトネスを大きくする、あるいは前記映像のコントラストを大きくする補正を含み、
前記音声補正回路の前記補正は、前記重要度レベルが高い場合において、音声を大きくする補正を含むことを特徴とする、ＨＤＭＩ送受信システム。
【発明の詳細な説明】
【技術分野】
【０００１】
本発明は、ＨＤＭＩ送受信装置に関し、特に、記録した映像および音声を出力するＨＤＭＩ送受信装置に関する。
【背景技術】
【０００２】
ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）端子を有するテレビジョン受信装置などの音声処理回路において、音声信号と一緒にＨＤＭＩ規格の音声制御情報が重畳された信号をＨＤＭＩ端子を有する送信装置から受信し、受信した音声制御信号情報に基づいて受信装置に接続されている送信装置ごとに音量調整を制御するものがある（例えば、特許文献１参照）。
【０００３】
また、近年では映像機器の普及が進み、デジタル放送テレビジョン受信装置では、映画、スポーツ、ドラマ、アニメーションなど、多くのジャンルに分類された番組を受信し、分類されたジャンルの各々に適した画質、音質で出力することができるようになった。
【０００４】
番組の各ジャンルに適した画質にするために、記録した番組に対してジャンルごとに映像の補正を行って画面に表示するものがある（例えば、特許文献２参照）。
【０００５】
【特許文献１】特開２００６−３５２５９９号公報
【特許文献２】特開２００５−１０２１８６号公報
【発明の開示】
【発明が解決しようとする課題】
【０００６】
特許文献１では、音声信号の制御を受信装置に接続されている送信装置ごとに行うためのものであり、番組の各ジャンルに適した音声信号の制御ではなく、映像信号の制御についてもなされていない。
【０００７】
特許文献２では、送信装置側にて各ジャンルに適した映像の補正を行ってから受信装置である表示装置に送信している。また、音声の補正については記載されていない。ここで、前記補正を受信装置側で行おうとしても、ＤＶＤ（Ｄｉｇｉｔａｌ  Ｖｅｒｓａｔｉｌｅ  Ｄｉｓｋ）録画再生装置やＨＤＤ（Ｈａｒｄ  Ｄｉｓｋ  Ｄｒｉｖｅ）録画再生装置などのＨＤＭＩ端子を有するＨＤＭＩ送信装置からテレビジョン受信機などのＨＤＭＩ受信装置に送信される映像や音声の場合には、テレビジョン受信機が受信するジャンルの種類と同様な情報がないため行うことができない。
【０００８】
本発明は、これらの問題を解決するためになされたもので、番組の内容に適した映像および音声の補正を受信装置側で自動的に行うことを目的とする。
【課題を解決するための手段】
【０００９】
上記の課題を解決するために、本発明によるＨＤＭＩ送受信システムは、ＨＤＭＩ送信装置とＨＤＭＩ受信装置とがＨＤＭＩケーブルによって接続されるＨＤＭＩ送受信システムであって、ＨＤＭＩ送信装置は、番組の重要度を示す重要度レベルメタデータ情報を検出する重要度レベル検出部と、重要度レベル検出部にて検出された重要度レベルメタデータ情報を番組に付加する情報付加部と、情報付加部にて重要度レベルメタデータ情報が付加された番組を記録する記録ドライブと、記録ドライブより再生された重要度レベルメタデータ情報が付加された番組から重要度レベルメタデータ情報を抽出する付加情報抽出部と、重要度レベルメタデータ情報をＨＤＭＩによって送信可能なデータ形式に変換する第１の制御回路とを備え、ＨＤＭＩ受信装置は、第１の制御回路によって変換され、ＨＤＭＩケーブルによって送信された重要度レベルメタデータ情報を元の重要度レベルメタデータ情報に変換する第２の制御回路と、重要度レベルメタデータ情報に基づいてＨＤＭＩ送信装置から送信された映像信号を補正する映像補正回路と、重要度レベルメタデータ情報に基づいてＨＤＭＩ送信装置から送信された音声信号を補正する音声補正回路とを備え、映像補正回路の補正は、重要度レベルメタデータ情報の重要度レベルが高い場合において、映像のズーム、映像のブライトネスを大きくする、あるいは映像のコントラストを大きくする補正を含み、音声補正回路の補正は、重要度レベルが高い場合において、音声を大きくする補正を含むことを特徴とする。
【発明の効果】
【００１０】
本発明によると、重要度レベル検出部は番組の重要度を示す重要度レベルメタデータ情報を検出し、情報付加部は重要度レベル検出部にて検出された重要度レベルメタデータ情報を番組に付加し、記録ドライブは情報付加部にて重要度レベルメタデータ情報が付加された番組を記録し、映像補正回路は重要度レベルメタデータ情報に基づいてＨＤＭＩ送信装置から送信された映像信号を補正し、音声補正回路は重要度レベルメタデータ情報に基づいてＨＤＭＩ送信装置から送信された音声信号を補正し、映像補正回路の補正は、重要度レベルメタデータ情報の重要度レベルが高い場合において、映像のズーム、映像のブライトネスを大きくする、あるいは映像のコントラストを大きくする補正を含み、音声補正回路の補正は、重要度レベルが高い場合において、音声を大きくする補正を含むため、番組の内容に適した映像および音声の補正を受信装置側で自動的に行うことが可能である。
【発明を実施するための最良の形態】
【００１１】
本発明の実施形態について、図面を用いて以下に説明する。
【００１２】
〈実施形態１〉
図１は、本発明の実施形態１によるＨＤＭＩ送受信装置の構成を示すブロック図である。ＨＤＭＩ送受信装置は、ＤＶＤレコーダー１００（ＨＤＭＩ送信部）とモニタ２００（ＨＤＭＩ受信部）とから構成されており、ＨＤＭＩケーブル１０２によって接続されている。ＨＤＭＩケーブル１０２は、ＤＶＤレコーダー１００のＨＤＭＩ端子１０１とモニタ２００のＨＤＭＩ端子１０２とに接続されている。
【００１３】
ＨＤＭＩ１０２を伝送する信号は、特許文献１に記載のように、ＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）、ＤＤＣ（Ｄｉｓｐｌａｙ  Ｄａｔａ  Ｃｈａｎｎｅｌ）、ＣＥＣ（Ｃｏｎｓｕｍｅｒ  Ｅｌｅｃｔｒｏｎｉｃｓ  Ｃｏｎｔｒｏｌ）の各信号線から構成されている。ＴＭＤＳでは、差動信号によって映像信号、音声信号、制御信号（補助データ）、映像信号クロックが伝送される。ＤＤＣでは、ＤＶＤレコーダー１００とモニタ２００との間において各々の構成や状態などの情報が交換される。ＣＥＣでは、高度な制御機能を実現することが可能であり、ＤＶＤレコーダー１００とモニタ２００との間において製品ベンダーに固有の情報を双方に伝送可能である。
【００１４】
図１に示すように、ＤＶＤレコーダー１００は、アンテナ１、放送チューナー２、記録ドライブ３、復号回路４、ＨＤＭＩ送信部５、番組情報分析部６（情報分析部）、情報付加部７、付加情報抽出部８、制御回路９から構成される。
【００１５】
まず、ＤＶＤレコーダー１００における番組記録時の動作について説明する。
【００１６】
ユーザーからユーザーインターフェース（図示せず）を介して録画する旨の操作が行われると、放送チューナー２は、アンテナ１から入力された電波から所望のチャンネルの番組をパーシャル化したＴＳ（Ｔｒａｎｓｐｏｒｔ  Ｓｔｒｅａｍ）に復調する。復調されたＴＳは、番組情報分析部６および情報付加部７に入力される。番組情報分析部６では、ＴＳに重畳されている番組表情報（Ｅｌｅｃｔｒｏｎｉｃ  Ｐｒｏｇｒａｍ  Ｇｕｉｄｅ：ＥＰＥＧ）に記載されている番組のジャンル情報（分類情報）を検出し、検出結果を情報付加部７に送信する。情報付加部７では、放送チューナー２から入力されたＴＳに対して番組情報分析部６から入力されたジャンル情報を付加する。そして、情報付加部７にてジャンル情報が付加されたＴＳは、記録ドライブ３に記録される。なお、ジャンル情報には、例えば映画、音楽、バラエティー、スポーツなどがある。
【００１７】
次に、記録した番組を記録ドライブ３から再生する時の動作について説明する。
【００１８】
ユーザーからユーザーインターフェースを介して記録ドライブ３から所望の番組を再生する旨の操作が行われると、選択された番組のＴＳは記録ドライブ３から読み出されて復号回路４および付加情報抽出部８に入力される。復号回路４では、入力された番組のＴＳが映像データ１１と音声データ１２とにデコードされる。デコードされた映像データ１１および音声データ１２は、ＨＤＭＩ送信部５に入力される。一方、付加情報抽出部８では、入力された番組のＴＳに付加されたジャンル情報を抽出する。付加情報抽出部８にて抽出されたジャンル情報は、制御回路９に入力される。制御回路９では、入力されたジャンル情報をＨＤＭＩケーブル１０２のＣＥＣラインで伝送可能なデータ形式に変換し、ＨＤＭＩ送信部５に出力する。
【００１９】
ＨＤＭＩ送信部５では、ＨＤＭＩケーブル１０２の信号線において、映像データおよび音声データはＴＭＤＳを介し、ジャンル情報データはＣＥＣを介してモニタ２００に出力する。
【００２０】
なお、ジャンル情報は、ＣＥＣ以外の信号線で伝送してもよい。また、ＣＥＣ伝送には、Ｖｅｎｄｏｒ  Ｓｐｅｃｉｆｉｃ  Ｃｏｍｍａｎｄｓを用いる（Ｈｉｇｈ−Ｄｅｆｉｎｉｓｉｏｎ  Ｍｕｌｔｉｍｅｄｉａ  Ｉｎｔｅｒｆａｃｅ  Ｓｐｅｃｉｆｉｃａｔｉｏｎ  Ｖｅｒｓｉｏｎ１．３，ＣＥＣ  １３を参照のこと）。
【００２１】
次に、モニタ２００における動作について説明する。ＨＤＭＩケーブル１０２によって接続されたＤＶＤレコーダー１００から任意の番組が再生され、ＨＤＭＩケーブル１０２を介して映像データ１１、音声データ１２、ジャンル情報がモニタ２００に入力されている。ＨＤＭＩ受信部２１に入力された映像データ３１は映像補正回路２２に出力され、ＨＤＭＩ受信部２１に入力された音声データ３２は音声補正回路２３に出力される。ＣＥＣを介してＨＤＭＩ受信部２１に入力されたジャンル情報は、ジャンル情報データ３３として制御回路２４に出力される。制御回路２４では、ジャンル情報データ３３から得られたジャンル情報に従って、映像パラメータ、音声パラメータの設定値を最適化する。映像パラメータとしてはブライトネス、コントラスト、色合い、ガンマ補正などがあり、音声パラメータとしては音量がある。
【００２２】
これらのパラメータは制御回路２４に予め記録されており、ＤＶＤレコーダー１００から得られたジャンル情報に基づいて各パラメータの設定値を読み出して変更する。変更された映像パラメータ３５は映像補正回路２２に出力され、変更された音声パラメータ３４は音声補正回路２３に入力される。映像補正回路２２では、入力された映像パラメータ３５に基づいて映像データ３１が補正され、補正された映像データは表示部２５に入力されて画面（図示せず）に表示される。音声補正回路２３では、入力された音声パラメータ３４に基づいて音声データ３２が補正され、補正された音声データは音声出力部２６に入力されて実際の音声に変換して出力される。
【００２３】
以上のことから、ＤＶＤレコーダー１００では番組の記録時にジャンル情報も一緒に記録しておき、番組の再生時にジャンル情報をモニタ２００に送信し、モニタ２００にて番組のジャンルに対応する映像、音声の補正を自動的に行う。従って、ユーザが複雑な操作をすることなく、番組内容に適した画質、音量となるように自動的に変更される。例えば、映画は暗いシーンが多くて音量も小さめであるため、ブライトネスを高めにし、音量を上げるといった設定をすると、ユーザが視聴しやすいように自動的に変更することが可能となる。
【００２４】
〈実施形態２〉
図２は、本発明の実施形態２によるＨＤＭＩ送受信装置の構成を示すブロック図である。図２に示すように、ＤＶＤレコーダー１００は、復号回路１３、ＣＭ判定フィルター１４（ＣＭ判定部）を備えており、その他の構成については実施形態１と同様であるため説明を省略する。
【００２５】
まず、ＤＶＤレコーダー１００における番組記録時の動作について説明する。
【００２６】
ユーザーからユーザーインターフェース（図示せず）を介して録画する旨の操作が行われると、放送チューナー２は、アンテナ１から入力された電波から所望のチャンネルの番組をパーシャル化したＴＳ（Ｔｒａｎｓｐｏｒｔ  Ｓｔｒｅａｍ）に復調する。復調されたＴＳは、復号回路１３および情報付加部７に入力される。復号回路１３にて復号された映像はＣＭ判定フィルター１４に入力される。ＣＭ判定フィルター１４ではＣＭ部分の切替わり点の情報が検出され、ＣＭ切替わり情報として情報付加部７に出力される。情報付加部７では、放送チューナー２から入力されたＴＳに対してＣＭ判定フィルター１４から入力されたＣＭ切替わり情報を付加する。そして、情報付加部７にてＣＭ切替わり情報が付加されたＴＳは、記録ドライブ３に記録される。
【００２７】
次に、記録した番組を記録ドライブ３から再生する時の動作について説明する。
【００２８】
ユーザーからユーザーインターフェースを介して記録ドライブ３から所望の番組を再生する旨の操作が行われると、選択された番組のＴＳは記録ドライブ３から読み出されて復号回路４および付加情報抽出部８に入力される。復号回路４では、入力された番組のＴＳが映像データ１１と音声データ１２とにデコードされる。デコードされた映像データ１１および音声データ１２は、ＨＤＭＩ送信部５に入力される。一方、付加情報抽出部８では、入力された番組のＴＳに付加されたＣＭ切替わり情報を抽出する。付加情報抽出部８にて抽出されたＣＭ切替わり情報は、制御回路９に入力される。制御回路９では、入力されたＣＭ切替わり情報をＨＤＭＩケーブル１０２のＣＥＣラインで伝送可能なデータ形式に変換し、ＨＤＭＩ送信部５に出力する。
【００２９】
ＨＤＭＩ送信部５では、ＨＤＭＩケーブル１０２の信号線において、映像データおよび音声データはＴＭＤＳを介し、ＣＭ切替わり情報データはＣＥＣを介してモニタ２００に出力する。
【００３０】
なお、ＣＭ切替わり情報は、ＣＥＣ以外の信号線で伝送してもよい。また、ＣＥＣ伝送には、Ｖｅｎｄｏｒ  Ｓｐｅｃｉｆｉｃ  Ｃｏｍｍａｎｄｓを用いる（Ｈｉｇｈ−Ｄｅｆｉｎｉｓｉｏｎ  Ｍｕｌｔｉｍｅｄｉａ  Ｉｎｔｅｒｆａｃｅ  Ｓｐｅｃｉｆｉｃａｔｉｏｎ  Ｖｅｒｓｉｏｎ１．３，ＣＥＣ  １３を参照のこと）。
【００３１】
次に、モニタ２００における動作について説明する。ＨＤＭＩケーブル１０２によって接続されたＤＶＤレコーダー１００から任意の番組が再生され、ＨＤＭＩケーブル１０２を介して映像データ１１、音声データ１２、ＣＭ切替わり情報がモニタ２００に入力されている。ＨＤＭＩ受信部２１に入力された映像データ３１は映像補正回路２２に出力され、ＨＤＭＩ受信部２１に入力された音声データ３２は音声補正回路２３に出力される。ＣＥＣを介してＨＤＭＩ受信部２１に入力されたＣＭ切替わり情報は、ＣＭ切替わり情報データ３６として制御回路２４に出力される。制御回路２４では、ＣＭ切替わり情報データ３６から得られたＣＭ切替わり情報に従って、映像パラメータ、音声パラメータの設定値を最適化する。映像パラメータとしてはブライトネス、コントラスト、色合い、ガンマ補正などがあり、音声パラメータとしては音量がある。
【００３２】
これらのパラメータは制御回路２４に予め記録されており、ＤＶＤレコーダー１００から得られたＣＭ切替わり情報に基づいて各パラメータの設定値を読み出して変更する。変更された映像パラメータ３５は映像補正回路２２に出力され、変更された音声パラメータ３４は音声補正回路２３に入力される。映像補正回路２２では、入力された映像パラメータ３５に基づいて映像データ３１が補正され、補正された映像データは表示部２５に入力されて画面（図示せず）に表示される。音声補正回路２３では、入力された音声パラメータ３４に基づいて音声データ３２が補正され、補正された音声データは音声出力部２６に入力されて実際の音声に変換して出力される。
【００３３】
以上のことから、ＤＶＤレコーダー１００では番組の記録時にＣＭ切替わり情報も一緒に記録しておき、番組の再生時にＣＭ切替わり情報をモニタ２００に送信し、モニタ２００にてＣＭの切替わり点に対応する映像、音声の補正を自動的に行う。従って、ユーザが複雑な操作をすることなく、ＣＭ部分に適した画質、音量となるように自動的に変更される。例えば、ＣＭ部分は番組のシーンに影響されないように、映像のブライトネス、コントラストなど、音声の音量などを小さめに設定をすると、ユーザが視聴しやすいように自動的に変更することが可能となる。
【００３４】
〈実施形態３〉
図３は、本発明の実施形態３によるＨＤＭＩ送受信装置の構成を示すブロック図である。図３に示すように、ＤＶＤレコーダー１００は、復号回路１３、重要度レベル検出部１５、メタデータ付加部１６、メタデータ抽出部１７を備えており、その他の構成については実施形態１および実施形態２と同様であるため説明を省略する。
【００３５】
まず、ＤＶＤレコーダー１００における番組記録時の動作について説明する。
【００３６】
ユーザーからユーザーインターフェース（図示せず）を介して録画する旨の操作が行われると、放送チューナー２は、アンテナ１から入力された電波から所望のチャンネルの番組をパーシャル化したＴＳ（Ｔｒａｎｓｐｏｒｔ  Ｓｔｒｅａｍ）に復調する。復調されたＴＳは、復号回路１３およびメタデータ付加部１６に入力される。復号回路１３にて復号された映像は重要度レベル検出部１５に入力される。重要度レベル検出部１５では重要度レベルメタデータの情報が検出され、重要度レベルメタデータ情報としてメタデータ付加部１６に出力される。メタデータ付加部１６では、放送チューナー２から入力されたＴＳに対して重要度レベル検出部１５から入力された重要度レベルメタデータ情報を付加する。そして、メタデータ付加部１６にて重要度レベルメタデータ情報が付加されたＴＳは、記録ドライブ３に記録される。
【００３７】
次に、記録した番組を記録ドライブ３から再生する時の動作について説明する。
【００３８】
ユーザーからユーザーインターフェースを介して記録ドライブ３から所望の番組を再生する旨の操作が行われると、選択された番組のＴＳは記録ドライブ３から読み出されて復号回路４およびメタデータ抽出部１７に入力される。復号回路４では、入力された番組のＴＳが映像データ１１と音声データ１２とにデコードされる。デコードされた映像データ１１および音声データ１２は、ＨＤＭＩ送信部５に入力される。一方、メタデータ抽出部１７では、入力された番組のＴＳに付加された重要度レベルメタデータ情報を抽出する。メタデータ抽出部１７にて抽出された重要度レベルメタデータ情報は、制御回路９（第１の制御回路）に入力される。制御回路９では、入力された重要度レベルメタデータ情報をＨＤＭＩケーブル１０２のＣＥＣラインで伝送可能なデータ形式に変換し、ＨＤＭＩ送信部５に出力する。
【００３９】
ＨＤＭＩ送信部５では、ＨＤＭＩケーブル１０２の信号線において、映像データおよび音声データはＴＭＤＳを介し、重要度レベルメタデータ情報はＣＥＣを介してモニタ２００に出力する。
【００４０】
なお、重要度レベルメタデータ情報は、ＣＥＣ以外の信号線で伝送してもよい。また、ＣＥＣ伝送には、Ｖｅｎｄｏｒ  Ｓｐｅｃｉｆｉｃ  Ｃｏｍｍａｎｄｓを用いる（Ｈｉｇｈ−Ｄｅｆｉｎｉｓｉｏｎ  Ｍｕｌｔｉｍｅｄｉａ  Ｉｎｔｅｒｆａｃｅ  Ｓｐｅｃｉｆｉｃａｔｉｏｎ  Ｖｅｒｓｉｏｎ１．３，ＣＥＣ  １３を参照のこと）。
【００４１】
次に、モニタ２００における動作について説明する。ＨＤＭＩケーブル１０２によって接続されたＤＶＤレコーダー１００から任意の番組が再生され、ＨＤＭＩケーブル１０２を介して映像データ１１、音声データ１２、重要度レベルメタデータ情報がモニタ２００に入力されている。ＨＤＭＩ受信部２１に入力された映像データ３１は映像補正回路２２に出力され、ＨＤＭＩ受信部２１に入力された音声データ３２は音声補正回路２３に出力される。ＣＥＣを介してＨＤＭＩ受信部２１に入力された重要度レベルメタデータ情報は、重要度レベルメタデータ３７として制御回路２４（第２の制御回路）に出力される。制御回路２４では、重要度レベルメタデータ３７から得られた重要度レベルメタデータ情報に従って、映像パラメータ、音声パラメータの設定値を最適化する。映像パラメータとしてはブライトネス、コントラスト、色合い、ガンマ補正などがあり、音声パラメータとしては音量がある。
【００４２】
これらのパラメータは制御回路２４に予め記録されており、ＤＶＤレコーダー１００から得られた重要度レベルメタデータ情報に基づいて各パラメータの設定値を読み出して変更する。変更された映像パラメータ３５は映像補正回路２２に出力され、変更された音声パラメータ３４は音声補正回路２３に入力される。映像補正回路２２では、入力された映像パラメータ３５に基づいて映像データ３１が補正され、補正された映像データは表示部２５に入力されて画面（図示せず）に表示される。音声補正回路２３では、入力された音声パラメータ３４に基づいて音声データ３２が補正され、補正された音声データは音声出力部２６に入力されて実際の音声に変換して出力される。
【００４３】
以上のことから、ＤＶＤレコーダー１００では番組の記録時に重要度レベルメタデータ情報も一緒に記録しておき、番組の再生時に重要度レベルメタデータ情報をモニタ２００に送信し、モニタ２００にて重要度レベルに対応する映像、音声の補正を自動的に行う。従って、ユーザが複雑な操作をすることなく、重要度レベルに適した画質、音量となるように自動的に変更される。例えば、重要度レベルが高い部分は番組の特徴的な代表されるシーンで、映像のズームを行ったり、映像のブライトネス、コントラストなどや音声の音量などを大きめに設定をすると、ユーザが視聴しやすいように自動的に変更することが可能となる。
【産業上の利用可能性】
【００４４】
本発明の活用例として、デジタル放送を受信表示するテレビモニター、例えばデジタル放送対応液晶テレビと、ＨＤＭＩ等の双方向でデータ送受信可能なインターフェイスで相互接続された、同じくデジタル放送を受信して記録再生するディスクレコーダー、例えばＨＤＤ内臓ＤＶＤレコーダーに適用できる。
【図面の簡単な説明】
【００４５】
【図１】本発明の実施形態１によるＨＤＭＩ送受信装置の構成を示すブロック図である。
【図２】本発明の実施形態２によるＨＤＭＩ送受信装置の構成を示すブロック図である。
【図３】本発明の実施形態３によるＨＤＭＩ送受信装置の構成を示すブロック図である。
【符号の説明】
【００４６】
１  アンテナ、２  放送チューナー、３  記録ドライブ、４  復号回路、５  ＨＤＭＩ送信部、６  番組情報分析部、７  情報付加部、８  付加情報抽出部、９  制御回路、１１  映像データ、１２  音声データ、１３  復号回路、１４  ＣＭ判定フィルター、１５  重要度レベル検出部、１６  メタデータ付加部、１７  メタデータ抽出部、２１  ＨＤＭＩ送信部、２２  映像補正回路、２３  音声補正回路、２４  制御回路、２５  表示部、２６  音声出力部、３１  映像データ、３２  音声データ、３３  ジャンル情報データ、３４  音声パラメータ、３５  映像パラメータ、３６  ＣＭ切替わり情報データ、３７  重要度レベルメタデータ、１００  ＤＶＤレコーダー、２００  モニタ、１０１  ＨＤＭＩ端子、１０２  ＨＤＭＩケーブル、２０１  ＨＤＭＩ端子。
【図１】
0005335224.tif 000002
【図２】
0005335224.tif 000003
【図３】
0005335224.tif 000004